(57)【要約】  巻回体の飛び出しを防止することができる巻回体収容箱を提供する。  巻回体収容箱（１）は、長尺物（９１ｆ）が巻かれた巻回体（９１ｒ）を収容する直方体状に形成された本体部（１０）と、蓋部（２０）と、抑え板（３０）とを備える。本体部（１０）は、４つの長方形面のうちの１つが開口した開口面（１０ｈ）が形成されている。蓋部（２０）は、後板端辺（１８）に回動可能に連接されて開口面（１０ｈ）を覆う。抑え板（３０）は、前板端辺（１９）に回動可能に連接され、後板端辺（１８）に接触しないように開口面（１０ｈ）の一部を塞ぐ。本体部（１０）及び抑え板（３０）のそれぞれには、相互に係合することにより抑え板（３０）の回動を抑制する係止部（１５ｈ、３６）が形成されている。而して、長尺物（９１ｆ）の引き出しに伴って抑え板（３０）が回動してしまうことを回避することができ、巻回体（９１ｒ）の本体部（１０）からの飛び出しを防止することができる。
2012137383.tif 000002
【特許請求の範囲】
【請求項１】
長尺物が巻かれた巻回体を収容する直方体状に形成された本体部であって、対向する一対の端面が矩形に形成され、前記端面に直交する４つの長方形面のそれぞれが前記端面よりも大きく形成され、前記４つの長方形面のうちの１つが開口した開口面に形成された本体部と；
前記開口面に直交する２つの前記長方形面のうちの一方を構成する後板の、前記開口面と交わる端辺である後板端辺に、回動可能に連接されて前記開口面を覆う蓋部と；
前記後板に対向する面を構成する前板の前記開口面と交わる端辺である前板端辺に回動可能に連接され、前記後板端辺に接触しないように前記開口面の一部を塞ぐ抑え板とを備え；
前記本体部及び前記抑え板のそれぞれに、相互に係合することにより前記抑え板の回動を抑制する係止部が形成された；
巻回体収容箱。
【請求項２】
前記抑え板の前記係止部である抑え板係止部が突起で形成され；
前記本体部の前記係止部である本体係止部が、前記突起が嵌合する溝で形成された；
請求項１に記載の巻回体収容箱。
【請求項３】
前記抑え板が、前記開口面を塞いだときに前記開口面から前記端面側に突き出る大きさに形成されると共に、前記端面と前記開口面との交線に対向する部分で前記端面に沿うように前記端面の外側で折り曲げられて構成され；
前記抑え板係止部が、前記端面と重なる前記抑え板の部分である重合部分の面内に、前記開口面側に凸状の舌片で構成され；
前記本体係止部が、前記端面に形成されて前記舌片を受け入れる貫通孔で構成された；
請求項２に記載の巻回体収容箱。
【請求項４】
前記抑え板が、前記開口面を塞いだときに前記開口面から前記端面側に突き出る大きさであって、前記端面と前記開口面との交線に対向する部分で前記端面に沿うように前記端面の外側で折り曲げられたときに前記開口面に対向する面を構成する底面側に前記端面から突き出る大きさに形成され；
前記本体係止部が、前記底面と前記端面との交線部分に形成された隙間で構成され；
前記抑え板係止部が、前記抑え板の前記底面側に前記端面から突き出た部分が前記底面に沿うように折り曲げられて構成された前記抑え板の先端部で構成された；
請求項２に記載の巻回体収容箱。
【請求項５】
前記本体係止部が、円筒状に巻かれた前記巻回体が前記本体部に収容されたときに前記円筒状の円周内部に対向する範囲の前記端面に、前記端面が貫通するように形成され；
前記抑え板が、前記開口面を塞いだときに前記開口面から前記端面側に突き出る大きさに形成されると共に、前記端面と前記開口面との交線に対向する部分で前記端面に沿うように前記端面の外側で折り曲げられて前記抑え板係止部が前記本体係止部を介して前記本体部の内側に挿入されるように構成され；
前記抑え板係止部が、前記巻回体の内周部に接触して前記巻回体を支持するように構成された；
請求項２に記載の巻回体収容箱。
【請求項６】
前記蓋部が、前記端面と平行に設けられて前記端面の一部を覆う蓋側板であって内側に凹部が形成された蓋側板を有し；
前記抑え板が、前記開口面を塞いだときに前記端面と前記開口面との交線よりも前記本体部の外側に突き出る突出片が形成されるように構成され；
前記蓋部を閉めたときに、前記凹部が前記突出片に嵌合するように構成された；
請求項２乃至請求項５のいずれか１項に記載の巻回体収容箱。
【請求項７】
前記本体部の前記係止部である本体係止部が突起で形成され；
前記抑え板の前記係止部である抑え板係止部が、前記突起が嵌合する溝で形成された；
請求項１に記載の巻回体収容箱。
【請求項８】
前記本体部が、前記端面を構成する脇板の前記開口面と交わる端辺である脇板端辺に連接された差し込み片を有し；
前記本体係止部が前記差し込み片に形成された；
請求項７に記載の巻回体収容箱。
【請求項９】
前記抑え板が、切込線で切断されることにより、前記係止部を有する係止有部と、前記係止部を有さない係止無部とに分割されると共に、前記係止無部が前記前板端辺に平行な軸線まわりに回動可能に構成された；
請求項１乃至請求項８のいずれか１項に記載の巻回体収容箱。
【請求項１０】
長尺物が巻かれた巻回体と；
請求項１乃至請求項９のいずれか１項に記載の巻回体収容箱とを備える；
巻回体入り収容箱。
【発明の詳細な説明】
【技術分野】
【０００１】
本発明は巻回体収容箱及び巻回体入り収容箱に関し、特に巻回体の飛び出しを防止することができる巻回体収容箱及び巻回体入り収容箱に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルム（巻回体）が、長い直方体の容器（収容箱）に収容されており、使用する際には、先端のフィルムをロールから必要量引き出し、容器の蓋に取り付けられている切断刃で切断する。食品用ラップフィルムでは、フィルムをロールから引き出す際、ロール自体が容器から飛び出してしまうという不都合があった。このような不都合を解消する技術として、収容箱の前側面板の上端縁に折目を介してその突出量が端面板の１辺の長さの２分の１よりも若干大きい案内フラップを連接したものがある（例えば、特許文献１参照。）。
【先行技術文献】
【特許文献】
【０００３】
【特許文献１】実公平６−１９４５５号公報（図１〜３等）
【発明の概要】
【発明が解決しようとする課題】
【０００４】
しかしながら、上述の収容箱によっても、フィルムをロールから引き出す際に、フィルムが引き出される方向にロールが移動しようとすることに伴って、案内フラップがロールに押されて収容箱の外側に折れ曲がってしまい、案内フラップがその機能を発揮することができず、ロールが飛び出してしまうことがあった。【０００５】
本発明は上述の課題に鑑み、巻回体の飛び出しを防止することができる巻回体収容箱、及びこの巻回体収容箱を備える巻回体入り収容箱を提供することを目的とする。
【課題を解決するための手段】
【０００６】
上記目的を達成するために、本発明の第１の態様に係る巻回体収容箱は、例えば図１に示すように、長尺物９１ｆが巻かれた巻回体９１ｒを収容する直方体状に形成された本体部１０であって、対向する一対の端面１５が矩形に形成され、端面１５に直交する４つの長方形面１０ｈ、１２、１３、１４のそれぞれが端面１５よりも大きく形成され、４つの長方形面のうちの１つが開口した開口面１０ｈに形成された本体部１０と；開口面１０ｈに直交する２つの長方形面１２、１４のうちの一方を構成する後板１４の、開口面１０ｈと交わる端辺である後板端辺１８に、回動可能に連接されて開口面１０ｈを覆う蓋部２０と；後板１４に対向する面を構成する前板１２の開口面１０ｈと交わる端辺である前板端辺１９に回動可能に連接され、後板端辺１８に接触しないように開口面１０ｈの一部を塞ぐ抑え板３０とを備え；本体部１０及び抑え板３０のそれぞれに、相互に係合することにより抑え板３０の回動を抑制する係止部１５ｈ、３６が形成されている。【０００７】
このように構成すると、本体部及び抑え板のそれぞれに相互に係合することにより抑え板の回動を抑制する係止部が形成されているので、長尺物の引き出しに伴って抑え板が回動してしまうことを回避することができ、巻回体の本体部からの飛び出しを防止することができる。【０００８】
また、本発明の第２の態様に係る巻回体収容箱は、例えば図１に示すように、上記本発明の第１の態様に係る巻回体収容箱１において、抑え板３０の係止部である抑え板係止部が突起３６で形成され；本体部１０の係止部である本体係止部が、突起３６が嵌合する溝１５ｈで形成されている。ここで、本明細書において、係止部を構成する「溝」は、底面がある窪みのほか、底面がない窪みや、幅のない切り込みも含まれる概念である。【０００９】
このように構成すると、本体係止部が受け身となり、例えば端面を構成する部材等の本体部を構成する部材を動かすことなく抑え板のみを可動することができる。【００１０】
また、本発明の第３の態様に係る巻回体収容箱は、例えば図１に示すように、上記本発明の第２の態様に係る巻回体収容箱１において、抑え板３０が、開口面１０ｈを塞いだときに開口面１０ｈから端面１５側に突き出る大きさに形成されると共に、端面１５と開口面１０ｈとの交線に対向する部分３２で端面１５に沿うように端面１５の外側で折り曲げられて構成され；抑え板係止部が、端面１５と重なる抑え板３０の部分である重合部分３３の面内に、開口面１０ｈ側に凸状の舌片３６で構成され；本体係止部が、端面１５に形成されて舌片３６を受け入れる貫通孔１５ｈで構成されている。【００１１】
このように構成すると、係止部が外れにくくなり、安定して抑え板の機能を発揮させることができる。【００１２】
また、本発明の第４の態様に係る巻回体収容箱は、例えば図２に示すように、上記本発明の第２の態様に係る巻回体収容箱において、抑え板３０Ａが、開口面１０ｈを塞いだときに開口面１０ｈから端面１５Ａ側に突き出る大きさであって、端面１５Ａと開口面１０ｈとの交線に対向する部分３２で端面１５Ａに沿うように端面１５Ａの外側で折り曲げられたときに開口面１０ｈに対向する面を構成する底面１３側に端面１５Ａから突き出る大きさに形成され；本体係止部が、底面１３と端面１５Ａとの交線部分に形成された隙間１５ｇで構成され；抑え板係止部が、抑え板３０Ａの底面１３側に端面１５Ａから突き出た部分が底面１３に沿うように折り曲げられて構成された抑え板３０Ａの先端部３３Ａｔで構成されている。【００１３】
このように構成すると、本体係止部と抑え板係止部とを係合したときの収まりがよい。【００１４】
また、本発明の第５の態様に係る巻回体収容箱は、例えば図３に示すように、上記本発明の第２の態様に係る巻回体収容箱において、本体係止部１５ｈが、円筒状に巻かれた巻回体９１ｒが本体部１０に収容されたときに円筒状の円周内部に対向する範囲の端面１５に、端面１５が貫通するように形成され；抑え板３０Ｂが、開口面１０ｈを塞いだときに開口面１０ｈから端面１５側に突き出る大きさに形成されると共に、端面１５と開口面１０ｈとの交線に対向する部分３２で端面１５に沿うように端面１５の外側で折り曲げられて抑え板係止部が本体係止部を介して本体部１０の内側に挿入されるように構成され；抑え板係止部３３Ｂｔが、巻回体９１ｒの内周部に接触して巻回体９１ｒを支持するように構成されている。【００１５】
このように構成すると、抑え板係止部によっても巻回体の本体部からの飛び出しを防止することができる。【００１６】
また、本発明の第６の態様に係る巻回体収容箱は、例えば図１に示すように、上記本発明の第２の態様乃至第５の態様のいずれか１つの態様に係る巻回体収容箱において、蓋部２０が、端面１５と平行に設けられて端面１５の一部を覆う蓋側板２５であって内側に凹部２５ｄが形成された蓋側板２５を有し；抑え板３０が、開口面１０ｈを塞いだときに端面１５と開口面１０ｈとの交線よりも本体部１０の外側に突き出る突出片３３ｐが形成されるように構成され；蓋部２０を閉めたときに、凹部２５ｄが突出片３３ｐに嵌合するように構成されている。【００１７】
このように構成すると、蓋部を閉めたときに凹部が突出片に嵌合するので、蓋部を閉状態に維持することができる。【００１８】
また、本発明の第７の態様に係る巻回体収容箱は、例えば図６に示すように、上記本発明の第１の態様に係る巻回体収容箱において、本体部１０Ｅの係止部である本体係止部が突起１５Ｅｔで形成され；抑え板３０Ｅの係止部である抑え板係止部が、突起１５Ｅｔが嵌合する溝３１ｈで形成されている。【００１９】
このように構成すると、本体部の強度の低下を抑制することができる。溝が孔である場合は、本体部に孔が形成されないので、本体部の中に埃等の異物が侵入することを回避することができる。【００２０】
また、本発明の第８の態様に係る巻回体収容箱は、例えば図６に示すように、上記本発明の第７の態様に係る巻回体収容箱２において、本体部１０Ｅが、端面を構成する脇板１５Ｅの開口面１０ｈと交わる端辺である脇板端辺１５ｓに連接された差し込み片１５Ｅｐを有し；本体係止部１５Ｅｔが差し込み片１５Ｅｐに形成されている。【００２１】
このように構成すると、抑え板をより安定的に係合することができる。【００２２】
また、本発明の第９の態様に係る巻回体収容箱は、例えば図８に示すように、上記本発明の第１の態様乃至第８の態様のいずれか１つの態様に係る巻回体収容箱において、抑え板１３０が、切込線１３１ｃで切断されることにより、係止部を有する係止有部１３１ａと、係止部を有さない係止無部１３１ｂとに分割されると共に、係止無部１３１ｂが前板端辺１９に平行な軸線まわりに回動可能に構成されている。【００２３】
このように構成すると、係止無部を本体部の内側に折り返した場合は、収納された巻回体の外周部に接した係止無部が巻回体を前板から離れる方向に押すこととなり、係止無部によって巻回体の本体部内の動きを規制することができると共に、係止有部によって巻回体の本体部からの飛び出しをより確実に防止することができる。他方、係止無部を本体部の外側に折り返した場合は、係止無部を、開口面から引き出された長尺物の先端部を前板から離間させるよう前板に対して鋭角を持って傾くように配置することが可能となり、この配置によって、長尺物の先端部を容易に摘むことが可能となり、長尺物をスムーズに本体部から引き出して使用することが可能となる。【００２４】
また、本発明の第１０の態様に係る巻回体入り収容箱は、例えば図１に示すように、長尺物が巻かれた巻回体９１ｒと；上記本発明の第１の態様乃至第９の態様のいずれか１つの態様に係る巻回体収容箱１とを備える。【００２５】
このように構成すると、巻回体の本体部からの飛び出しを防止することができる巻回体入り収容箱となる。
【発明の効果】
【００２６】
本発明によれば、長尺物の引き出しに伴って抑え板が回動してしまうことを回避することができ、巻回体の本体部からの飛び出しを防止することができる。【００２７】
この出願は、日本国で２０１１年４月６日に出願された特願２０１１−０８４９４８号に基づいており、その内容は本出願の内容として、その一部を形成する。
また、本発明は以下の詳細な説明によりさらに完全に理解できるであろう。本発明のさらなる応用範囲は、以下の詳細な説明により明らかとなろう。しかしながら、詳細な説明及び特定の実例は、本発明の望ましい実施の形態であり、説明の目的のためにのみ記載されているものである。この詳細な説明から、種々の変更、改変が、本発明の精神と範囲内で、当業者にとって明らかであるからである。
出願人は、記載された実施の形態のいずれをも公衆に献上する意図はなく、開示された改変、代替案のうち、特許請求の範囲内に文言上含まれないかもしれないものも、均等論下での発明の一部とする。
【図面の簡単な説明】
【００２８】
【図１】（Ａ）は本発明の第１の実施の形態に係るラップカートンの斜視図、（Ｂ）は（Ａ）に示すラップカートンの抑え側板を開いた状態の部分斜視図である。
【図２】（Ａ）は本発明の第１の実施の形態の第１の変形例に係るラップカートンの部分斜視図、（Ｂ）は（Ａ）に示すラップカートンの抑え側板を開いた状態の部分斜視図である。
【図３】（Ａ）は本発明の第１の実施の形態の第２の変形例に係るラップカートンの部分斜視図、（Ｂ）は（Ａ）に示すラップカートンの抑え側板を開いた状態の部分斜視図、（Ｃ）は（Ａ）に示すラップカートンの側面断面図である。
【図４】（Ａ）は本発明の第１の実施の形態の第３の変形例に係るラップカートンの斜視図、（Ｂ）は（Ａ）に示すラップカートンの側面断面図である。
【図５】本発明の第１の実施の形態の第４の変形例に係るラップカートンの斜視図である。
【図６】（Ａ）は本発明の第２の実施の形態に係るラップカートンの斜視図、（Ｂ）は（Ａ）に示すラップカートンの脇板突出片を開いた状態の部分斜視図である。
【図７】（Ａ）は本発明の第２の実施の形態の第１の変形例に係るラップカートンの部分斜視図、（Ｂ）は（Ａ）に示すラップカートンの脇板上部を開いた状態の部分斜視図である。
【図８】（Ａ）は抑え板を改良したラップカートンの斜視図、（Ｂ）は（Ａ）に示すラップカートンのフラップを内側に折り曲げた状態の側面断面図、（Ｃ）は（Ａ）に示すラップカートンのフラップを外側に折り曲げた状態の側面断面図である。
【図９】（Ａ）は別の形態で抑え板を改良したラップカートンの斜視図、（Ｂ）はさらに別の形態で抑え板を改良したラップカートンの斜視図である。
【図１０】（Ａ）は先端を変形させた抑え板を持つラップカートンの側面断面図、（Ｂ）は先端を別の形態に変形させた抑え板を持つラップカートンの側面断面図、（Ｃ）は先端をさらに別の形態に変形させた抑え板を持つラップカートンの側面断面図である。
【発明を実施するための形態】
【００２９】
以下、図面を参照して本発明の実施の形態について説明する。なお、各図において互いに同一又は相当する部材には同一あるいは類似の符号を付し、重複した説明は省略する。
【００３０】
まず図１を参照して、本発明の実施の形態に係る、巻回体収容箱としてのラップカートン１、及びラップカートン１に巻回体としてのラップロール９１ｒが収容された巻回体入り収容箱としてのラップ入りカートン１００を説明する。図１（Ａ）は、ラップカートン１の斜視図、図１（Ｂ）は抑え側板３３を開いたラップカートン１の部分斜視図である。ラップロール９１ｒは、長尺物としてのラップフィルム９１ｆが円筒状の巻芯にロール状に巻かれたものである。以下の説明において、ラップロール９１ｒとラップフィルム９１ｆとの外観形状の区別をしない場合は、「ラップ９１」と総称する。ラップフィルム９１ｆは、本実施の形態では、ポリ塩化ビニリデンを原料として厚さが５〜２０μｍに形成されている。ラップカートン１は、ラップロール９１ｒを収容する本体部１０と、本体部１０に連接された蓋部２０と、本体部１０に連接された抑え板３０とを備えている。
【００３１】
本体部１０は、未使用のラップロール９１ｒを収容できる大きさの直方体に対して、細長い面の１つが開口１０ｈとなっている箱である。本体部１０の大きさは、収容した未使用のラップロール９１ｒを軸回りに回転させるのを妨げない隙間が形成される一方で、できるだけ小さく形成されており、本実施の形態では幅４４ｍｍ、高さ４４ｍｍ、長さ３１０ｍｍの大きさに形成されている。本体部１０は、開口１０ｈと協働して直方体の側面を構成する前板１２、底板１３、後板１４と、直方体の端面を構成する２つの脇板１５とを有している。底板１３は、典型的には底面を構成し、開口１０ｈに対向している。前板１２及び後板１４は、開口１０ｈ及び底板１３に直交している。脇板１５は、典型的には正方形に形成されているが、縦横の長さが異なる矩形であってもよい。
【００３２】
蓋部２０は、本体部１０の開口１０ｈを塞ぐ部材である。蓋部２０は、蓋板２１と、掩蓋片２２と、蓋側板としての側蓋片２５とを有している。蓋板２１は、開口１０ｈの面（開口面）と略同じ大きさの矩形平板状部材であり、蓋板２１を開口１０ｈに合わせることで本体部１０を閉塞した直方体とすることができるようになっている。蓋板２１が開口１０ｈの面と略同じ大きさとは、蓋板２１が、掩蓋片２２の厚さ及び側蓋片２５の厚さの分大きい場合を含むことを意味している。蓋板２１は、長手方向の一辺が、本体部１０の後板端辺１８で連接している。換言すれば、本体部１０と蓋板２１とは、後板端辺１８を介して連接している。後板端辺１８は、後板１４と開口１０ｈの面とが交わる辺である。蓋板２１は、後板端辺１８を回転軸線として、本体部１０に対して回動することができるように構成されている。
【００３３】
掩蓋片２２は、折曲辺２１ｆを介して蓋板２１と直交し、蓋部２０を閉じたときに底板１３側に延びるように設けられている。掩蓋片２２は、長手方向両端の幅（長方形の前板１２の短辺方向の長さ）が、前板１２の短辺方向の長さの約１／２で、長手方向中央部の幅が、前板１２の短辺方向の長さの約３／４となっており、折曲辺２１ｆに対向する先端辺２２ｐがＶ字状に形成されている。掩蓋片２２の先端辺２２ｐには、ラップフィルム９１ｆを切断するための切断刃２２ｃが取り付けられている。側蓋片２５は、蓋板２１及び掩蓋片２２の双方に直交して取り付けられている。側蓋片２５は、蓋板２１（掩蓋片２２）の両端に合計２つ設けられている。側蓋片２５は、長辺が蓋板２１の短辺と同じ長さで、短辺が掩蓋片２２の中央部における幅（Ｖ字状の先端から折曲辺２１ｆまでの最短距離）と略同じ長さの長方形に形成されている。側蓋片２５は、掩蓋片２２に連接された接続片２２ｊに接着剤で固定されている。側蓋片２５の内側には、接続片２２ｊと蓋板２１との間に、凹部２５ｄが形成されている。このように構成された蓋部２０は、閉じたときに、本体部１０の開口１０ｈに覆い被さるようになっている。このとき、掩蓋片２２は、前板１２に沿って前板１２の外側に重なるように配設されている。
【００３４】
抑え板３０は、本体部１０に収容されたラップロール９１ｒの飛び出しを防ぐための部材である。抑え板３０は、抑え天板３１と、抑え側板３３とを有している。抑え天板３１は、長さが開口１０ｈの面と同じで、幅３１ｗが開口１０ｈの面よりも小さく形成されている。抑え天板３１は、長手方向の一辺が、本体部１０の前板端辺１９で連接している。換言すれば、本体部１０と抑え天板３１とは、前板端辺１９を介して連接している。前板端辺１９は、前板１２と開口１０ｈの面とが交わる辺である。抑え天板３１は、開口１０ｈの面に重なるように設けられている。幅３１ｗが開口１０ｈの面の幅１０ｗよりも小さく形成された抑え天板３１が、前板端辺１９に連接され、かつ、開口１０ｈの面に重なるように設けられることで、後板端辺１８と抑え天板３１との間に隙間１０ｓが形成されることとなる。隙間１０ｓは、本体部１０に収容されたラップロール９１ｒから引き出されたラップフィルム９１ｆが通る空間となる。
【００３５】
抑え天板３１の幅３１ｗは、開口１０ｈの幅１０ｗの２０％から９８％の間の値とするとよい。このようにすると、抑え天板３１の強度を保持しつつ、隙間１０ｓからラップフィルム９１ｆを引き出すことができる。抑え天板３１の幅３１ｗは、好ましくは開口１０ｈの幅１０ｗの５０％から９０％の間になるように形成するとよい。このようにすると、抑え天板３１を変形しにくい構造とし、ラップロール９１ｒの飛び出し防止効果を向上させることができる。抑え天板３１の幅３１ｗは、さらに好ましくは開口１０ｈの幅１０ｗの７０％から８５％の間になるように形成するとよい。このようにすると、抑え天板３１をより変形しにくい構造とし、ラップロール９１ｒの飛び出し防止効果をさらに向上させることができる。
【００３６】
抑え側板３３は、開口１０ｈの面に重ねられた抑え天板３１から脇板１５側に突き出るように、抑え天板３１に連接している。抑え側板３３と抑え天板３１とは、典型的には一体に形成されており、折り目３２によって両者が区別されている。換言すれば、折り目３２が抑え天板３１と抑え側板３３との境界線となっている。折り目３２は、前板１２に対して直角になるように開口１０ｈ側に抑え板３０を延ばしたときに、本体部１０の開口１０ｈの面と脇板１５とが交わる辺に対向する線である。抑え側板３３は、抑え天板３１に直交し、脇板１５に沿って、脇板１５の外側に設けられている。このように、抑え側板３３は、重合部分を構成している。抑え側板３３の高さは、脇板１５の高さに対して、概ね１／３以上、典型的には２／３に形成されているが、脇板１５の高さと同じでもよい。抑え側板３３の幅は、折り目３２においては抑え天板３１の幅３１ｗと等しく、底板１３に近づくにつれて少しずつ小さくなっている。抑え側板３３の先端（底板１３に最も近い端部）は、緩やかな丸みを帯びていて、角部が円弧状に形成されている。
【００３７】
抑え側板３３には、折り目３２に沿った細長い矩形において、折り目３２以外の３つの辺が切り込まれることにより、折り目３２よりも外側に突き出る突出片３３ｐが形成されている。突出片３３ｐは、抑え天板３１と同一面状で、本体部１０の外側に突き出ている。突出片３３ｐは、典型的には、側蓋片２５の外面よりもやや飛び出る程度まで突き出ている。突出片３３ｐが形成されていることで、蓋部２０を閉じたときに側蓋片２５の内側に形成されている凹部２５ｄが突出片３３ｐと係合し、蓋部２０を閉状態に維持することができる。
【００３８】
図１（Ｂ）の抑え側板３３を開いた部分斜視図に詳細に示すように、抑え側板３３は、さらに、折り目３２と平行に延びる折れ線３４の幅方向の中央部から、折り目３２側に、半円弧状の切り込み３５が形成されている。切り込み３５は、半円弧の直径が折れ線３４上にある。これにより、折れ線３４と切り込み３５とで囲まれた部分に舌片３６が形成されることとなる。抑え側板３３は、折れ線３４を境として、開口１０ｈ側の抑え本体部３８と、先端（底板１３に最も近い端部）側の抑え先端部３９とに区別することができる。抑え先端部３９を、舌片３６の外側の折れ線３４に沿って曲げることで、舌片３６が抑え本体部３８から突出して突起として現れることとなる。本実施の形態では、舌片３６が抑え板係止部に相当する。
【００３９】
他方、脇板１５には、舌片３６と係合する本体係止部としての貫通孔１５ｈが形成されている。貫通孔１５ｈは、舌片３６内の折れ線３４（舌片３６を構成する半円弧状の直径部分）を脇板１５に投影した位置に、舌片３６が貫通することができるように形成されている。貫通孔１５ｈは、典型的には舌片３６内の折れ線３４よりも一回り大きいスリットで形成されている。貫通孔１５ｈは、底のない溝と見ることができ、すなわち溝の一形態である。このように、本明細書では、係止部を構成する「溝」には、底面がある窪みのほか、底面がない窪みや、幅のない切り込みも含まれる。この点を考慮すると、貫通孔１５ｈは、スリットのような幅のない、切り込みで形成されていてもよい。
【００４０】
舌片３６は、通常は、図１（Ａ）に示すように、貫通孔１５ｈを突き抜けて本体部１０の内部に入っている。この通常の状態のときは、抑え板３０が本体部１０に対して固定されることとなる。これに対し、抑え先端部３９を脇板１５から離れるように折れ線３４で曲げて、抑え側板３３を脇板１５から引き離すことで、舌片３６と貫通孔１５ｈとの係合を外すことができる。舌片３６と貫通孔１５ｈとの係合を外すことで、抑え天板３１は、前板端辺１９を回転軸線として、本体部１０に対して回動することができるように構成されている。
【００４１】
本実施の形態では、抑え天板３１に、切り欠き３１ｄが形成されている。切り欠き３１ｄは、後板１４側の辺に形成されている。切り欠き３１ｄは、抑え天板３１の長手方向の中央が最も深くなるように形成されている。切り欠き３１ｄが形成されている部分においては隙間１０ｓが広くなっている。これにより、ラップフィルム９１ｆが本体部１０の中に戻ってしまったときも、抑え板３０の係合を外さずに、隙間１０ｓから本体部１０内に指を入れてラップフィルム９１ｆを摘み、本体部１０の外へ取り出すことが容易にできるように構成されている。
【００４２】
ラップカートン１は、本実施の形態では、約０．４５〜０．７ｍｍ厚のコートボール紙が加工されて形成されている。本実施の形態では、説明の便宜上、本体部１０、蓋部２０、及び抑え板３０を機能の観点から区別しているが、本体部１０、蓋部２０、及び抑え板３０は、典型的には１枚の原紙を切り出して組み立てられて一体に形成されている。ラップカートン１の表面は、消費者の購買意欲を惹起するようなデザインが印刷されたうえで、全体に表面処理（例えば紫外線硬化型ニスの塗布等）が施されている。
【００４３】
上述のように構成されたラップカートン１は、舌片３６と貫通孔１５ｈとが係合することで、抑え板３０、ひいては抑え天板３１が、本体部１０から開いてしまうことが防止される。これにより、ラップフィルム９１ｆを引き出すことに伴って、本体部１０内のラップロール９１ｒに本体部１０の外に出そうとする力が作用しても、本体部１０からラップロール９１ｒが飛び出てしまうことを防止することができる。また、抑え天板３１を備えていることで、隙間１０ｓから引き出されたラップフィルム９１ｆを手から離しても、ラップフィルム９１ｆが抑え天板３１に被さる。このとき、ラップフィルム９１ｆと抑え天板３１との間に摩擦力が働き、この摩擦力が、ラップフィルム９１ｆが本体部１０内に戻ろうとする力に対して抵抗力として働くこととなる。このように、ラップカートン１は、ラップフィルム９１ｆが本体部１０内に戻りにくい構造となっている。
【００４４】
次に図２を参照して、変形例に係るラップカートン１Ａを説明する。図２（Ａ）はラップカートン１Ａの部分斜視図であり、図２（Ｂ）は抑え側板３３Ａを開いた状態の部分斜視図である。ラップカートン１Ａは、ラップカートン１（図１参照）と比較して、抑え板３０Ａ及び脇板１５Ａの構成が異なっている。抑え板３０Ａは、抑え天板３１の構成はラップカートン１と同様である一方、抑え側板３３Ａが、脇板１５Ａと略同じである主部３３Ａｂと、底板１３よりも突き出た部分である先端部３３Ａｔとから形成されている。底板１３よりも突き出た部分である先端部３３Ａｔは、抑え板係止部を構成する。なお、抑え側板３３Ａには、抑え側板３３（図１参照）に形成されていたような、折れ線３４、切り込み３５、舌片３６は形成されていない。
【００４５】
他方、脇板１５Ａは、脇板１５（図１参照）に形成されていたような貫通孔１５ｈが形成されていない代わりに、底板１３に隣接する部分に隙間１５ｇが形成されている。隙間１５ｇは、本体係止部を構成する。なお、ラップカートン１Ａの脇板１５Ａは、後板１４に連接された第１フラップ１４ｆの上に、前板１２に連接された第２フラップ１２ｆが重ねられて構成されている。第１フラップ１４ｆ及び第２フラップ１２ｆは、共に底板１３とは連接していない。したがって、第１フラップ１４ｆ及び第２フラップ１２ｆ（脇板１５Ａ）と、底板１３との間に、幅１０ｗにわたって隙間１５ｇが形成されることとなる。先端部３３Ａｔは、隙間１５ｇと係合するように構成されているため、先端部３３Ａｔの長さ３３ＡｔＬは、ラップが収容されたラップカートン１Ａの使用中に外れることがない長さに形成されており、典型的には脇板１５の高さ（本実施の形態では幅１０ｗと等しい）の１／４〜１／３の長さに形成されている。ラップカートン１Ａの上記以外の構成は、ラップカートン１（図１参照）と同じである。
【００４６】
上述のように構成されたラップカートン１Ａは、先端部３３Ａｔと隙間１５ｇとが係合することで、抑え板３０Ａ、ひいては抑え天板３１が、本体部１０Ａから開いてしまうことが防止される。このとき、抑え板係止部が抑え側板３３Ａの先端部３３Ａｔで形成されると共に、本体係止部を構成する隙間１５ｇが底板１３と脇板１５Ａとの交線部分に形成されているので、ラップカートン１（図１参照）に比べて、先端部３３Ａｔを隙間１５ｇに係合させたときの収まりがよく、外観がシンプルになる。なお、ラップカートン１Ａにおいても、ラップカートン１（図１参照）と同様、本体部１０Ａからラップロールが飛び出てしまうことを防止することができ、ラップフィルムが本体部１０Ａ内に戻りにくいという効果を奏する。
【００４７】
次に図３を参照して、別の変形例に係るラップカートン１Ｂを説明する。図３（Ａ）はラップカートン１Ｂの部分斜視図であり、図３（Ｂ）は抑え側板３３Ｂを開いた状態のラップカートン１Ｂの部分斜視図であり、図３（Ｃ）はラップカートン１Ｂの側面断面図である。ラップカートン１Ｂは、ラップカートン１（図１参照）と比較して、抑え板３０Ｂの構成が異なっている。抑え板３０Ｂは、抑え天板３１の構成はラップカートン１と同様である一方、抑え側板３３Ｂが、抑え天板３１に連接する主部３３Ｂｂと、抑え天板３１から離れた先端部３３Ｂｔとから構成されている。主部３３Ｂｂ及び先端部３３Ｂｔを含む抑え側板３３Ｂの構成は、抑え側板３３Ａ（図２参照）と類似しているが、抑え側板３３Ａよりも小さく、脇板１５に内包される大きさに形成されている。先端部３３Ｂｔは、抑え板係止部を構成する。なお、抑え側板３３Ｂには、抑え側板３３（図１参照）に形成されていたような、折れ線３４、切り込み３５、舌片３６は形成されていない。
【００４８】
ラップカートン１Ｂの脇板１５は、ラップカートン１（図１参照）と同様にスリット状の貫通孔１５ｈが形成されている。ただし、ラップカートン１Ｂの脇板１５に形成された貫通孔１５ｈは、抑え側板３３Ｂの先端部３３Ｂｔと係合する本体係止部として機能するものである。ここでの貫通孔１５ｈは、本体部１０に収容されたラップフィルム９１ｆが巻き付けられている円筒状の巻芯９２の内部を脇板１５に投影した位置に形成されている。貫通孔１５ｈは、好ましくは、貫通孔１５ｈを突き抜けて本体部１０の内部に入った先端部３３Ｂｔが、巻芯９２の内周部に接触してラップ９１を支持することができる位置に形成されている。本実施の形態では、折り目３２から底板１３に向かって脇板１５の高さの１／４程度進んだ位置に、折り目３２と平行に延びるように貫通孔１５ｈが形成されている。なお、ラップ９１の使用の開始前において、本体部１０に収容されたラップロール９１ｒの外周部は、図３（Ｃ）に示すように底板１３の内側に接していてもよく、図示は省略するが底板１３の内側との間に隙間があって、ラップロール９１ｒが底板１３から浮き上がるようにしてもよい。先端部３３Ｂｔの長さは、ラップ９１を支持することができるように、先端部３３Ａｔの長さ３３ＡｔＬ（図２参照）よりも大きく形成されている。ラップカートン１Ｂの上記以外の構成は、ラップカートン１（図１参照）と同じである。
【００４９】
上述のように構成されたラップカートン１Ｂは、先端部３３Ｂｔと貫通孔１５ｈとが係合することで、抑え板３０Ｂ、ひいては抑え天板３１が、本体部１０から開いてしまうことが防止される。このとき、先端部３３Ｂｔが巻芯９２の内周部に接触してラップ９１を支持するので、抑え天板３１でラップ９１の飛び出しを防ぐことに加え、先端部３３Ｂｔ（抑え板係止部）によってもラップ９１の本体部１０からの飛び出しを防止することができる。なお、ラップカートン１Ｂにおいても、ラップカートン１（図１参照）と同様、ラップフィルムが本体部１０内に戻りにくいという効果を奏する。
【００５０】
以上で説明したラップカートン１、１Ａ、１Ｂのほか、抑え板係止部が突起で形成され、本体係止部が溝で形成される実施の形態に、以下のものが挙げられる。
図４（Ａ）に示すラップカートン１Ｃでは、抑え板３０Ｃが開口１０ｈから突き出ない大きさに形成され、抑え板３０Ｃの両端が脇板１５Ｃの内側で本体部１０Ｃに係合するように構成されている。抑え板３０Ｃは、前板端辺１９と連接する部分が前板端辺１９よりも短く形成され、前板端辺１９の両端には抑え板３０Ｃに連接していない空間が形成されている。抑え板３０Ｃは、脇板１５Ｃに対向する辺が、後板１４側では脇板１５Ｃに接し、前板１２側では脇板に接しないように形成されている。これにより、抑え板３０Ｃは、脇板１５Ｃに対向する辺に、後板１４側において突起３０Ｃｔが形成されることとなる。突起３０Ｃｔは、抑え板係止部を構成している。
【００５１】
他方、図４（Ｂ）に示すように、ラップカートン１Ｃでは、脇板１５Ｃの内側に、副側面板４４が貼り付けられている。なお、図４（Ｂ）では、説明の便宜上、抑え板３０Ｃを省略して示している。副側面板４４は、後板１４と連接していて、脇板１５Ｃの直前で内側に折り曲げられている。副側面板４４は、本実施の形態では後板１４と連接しているが、前板１２又は底板１３と連接していてもよい。副側面板４４には、突起３０Ｃｔに対応した切り込み４２Ａが形成されている。切り込み４２Ａが形成された副側面板４４が脇板１５Ｃの内側に貼り付けられることにより、脇板１５Ｃの内側にはスリット状のスリット部４２が形成されることとなる。スリット部４２は、脇板１５Ｃを貫通しておらず、脇板１５Ｃの内側に溝（ここでは狭義の溝）を形成している。スリット部４２は、本体係止部を構成している。
【００５２】
図５に示すラップカートン１Ｄでは、抑え板３０Ｄが、ラップカートン１Ｃの抑え板３０Ｃ（図４参照）と略同じ形状であるが、突起３０Ｃｔ（図４参照）に対応する突起３０Ｄｔが開口１０ｈよりも脇板１５側に突き出ている点が抑え板３０Ｃ（図４参照）とは異なっている。本体部１０は、ラップカートン１（図１参照）と同様に貫通孔１５ｈが形成されている。貫通孔１５ｈは、抑え板３０Ｄの突起３０Ｄｔと係合する位置に形成されている。ラップカートン１Ｄは、突起３０Ｄｔを貫通孔１５ｈに係合させたときに、突起３０Ｄｔの先端が脇板１５の表面から外側に突き出ることとなる。この、脇板１５の表面から突き出た突起３０Ｄｔの先端は、突出片３３ｐ（図１参照）と同様の機能を果たすこととなる。
【００５３】
次に図６を参照して、本発明の第２の実施の形態に係るラップカートン２を説明する。図６（Ａ）はラップカートン２の斜視図、図６（Ｂ）は脇板突出片１５Ｅｐを開いたラップカートン２の部分斜視図である。ラップカートン２は、本体部１０Ｅと、蓋部２０と、抑え板３０Ｅとを備えている。ラップカートン２は、ラップカートン１（図１参照）と比較して、蓋部２０の構成は同じであるが、本体部１０Ｅ及び抑え板３０Ｅが、本体部１０（図１参照）及び抑え板３０（図１参照）と一部が異なっている。
【００５４】
本体部１０Ｅは、前板１２、底板１３、後板１４、及び開口１０ｈの構成はラップカートン１の本体部１０（図１参照）と共通であるが、脇板１５Ｅは以下のように構成されている。脇板１５Ｅは、脇板主部１５Ｅｒと、脇板突出片１５Ｅｐとから構成されている。脇板主部１５Ｅｒは、ラップカートン１の脇板１５（図１参照）と同様に構成されている。脇板主部１５Ｅｒは、底板１３に連接している。脇板突出片１５Ｅｐは、突出主部１５Ｅｂと、先端部１５Ｅｔとから構成されている。突出主部１５Ｅｂは、脇板主部１５Ｅｒの開口１０ｈと交わる端辺である脇板端辺１５ｓに連接されている。本実施の形態では、突出主部１５Ｅｂが、脇板端辺１５ｓから離れるに連れて幅が小さくなるように形成されており、その先端に先端部１５Ｅｔが設けられている。先端部１５Ｅｔの幅は、抑え板３０Ｅの幅よりも小さくなるように形成されている。先端部１５Ｅｔは、本体係止部を構成する。
【００５５】
抑え板３０Ｅは、抑え板貫通孔３１ｈが形成されている点を除き、ラップカートン１の抑え天板３１（図１参照）と同様に形成されており、ラップカートン１における抑え側板３３（図１参照）に相当する構成を有していない。抑え板貫通孔３１ｈは、先端部１５Ｅｔと係合する抑え板係止部を構成する。したがって、抑え板貫通孔３１ｈは、突出主部１５Ｅｂの長さ分だけ、脇板端辺１５ｓから離れた位置に形成されている。抑え板貫通孔３１ｈは、典型的には、脇板主部１５Ｅｒの高さの約１／４に相当する距離だけ脇板端辺１５ｓから離れた位置に形成されている。
【００５６】
上述のように構成されたラップカートン２は、先端部１５Ｅｔと抑え板貫通孔３１ｈとが係合することで、抑え板３０Ｅが本体部１０Ｅから開いてしまうことが防止される。ラップカートン２は、貫通孔（抑え板貫通孔３１ｈ）が本体部１０Ｅではなく抑え板３０Ｅに形成されているため、蓋部２０を閉めた状態で本体部１０Ｅの中に埃等の異物が侵入することを回避することができると共に、本体部１０Ｅの強度の低下を抑制することができる。また、脇板突出片１５Ｅｐを抑え板３０Ｅの上に重ねた先で先端部１５Ｅｔを抑え板貫通孔３１ｈに差し込んで係合させるので、抑え板３０Ｅを本体部１０Ｅに、より安定的に係合させることができる。なお、ラップカートン２においても、ラップカートン１（図１参照）と同様、ラップフィルムが本体部１０Ｅ内に戻りにくいという効果を奏する。
【００５７】
以上で説明したラップカートン２のほか、本体係止部が突起で形成され、抑え板係止部が溝で形成される実施の形態に、以下のものがある。
図７（Ａ）は本発明の第２の実施の形態の変形例に係るラップカートン２Ａの部分斜視図であり、図７（Ｂ）は脇板上部１５Ｆｓを開いた状態のラップカートン２Ａの部分斜視図である。図７（Ａ）、（Ｂ）の両図共に、蓋部２０（図１参照）を省略して示しているが、実際にはラップカートン１（図１参照）と同様に蓋部２０が設けられている。ラップカートン２Ａは、本体部１０Ｆと、蓋部２０と、抑え板３０Ｆとを備えている。ラップカートン２Ａは、ラップカートン２（図６参照）と比較して、蓋部２０の構成は同じであるが、本体部１０Ｆ及び抑え板３０Ｆが本体部１０Ｅ（図６参照）及び抑え板３０Ｅ（図６参照）と一部が異なっている。本体部１０Ｆは、前板１２、底板１３、後板１４、及び開口１０ｈの構成はラップカートン２の本体部１０Ｅ（図６参照）と共通であるが、脇板１５Ｆは以下のように構成されている。
【００５８】
脇板１５Ｆは、高さが、前板１２の高さよりもやや小さく、典型的には前板１２の高さの０．８〜０．９倍程度に形成されている。脇板１５Ｆは、底板１３と平行に延びる折曲線１５Ｆｆを境として、その下方の脇板下部１５Ｆｒと上方の脇板上部１５Ｆｓとに区別されている。脇板下部１５Ｆｒは、後板１４から延在する第１フラップ１４ｆ及び前板１２から延在する第２フラップ１２ｆに固着されている。第１フラップ１４ｆの上に第２フラップ１２ｆが重なる構成は、ラップカートン１Ａ（図２参照）と同様である。脇板上部１５Ｆｓは、第１フラップ１４ｆ及び第２フラップ１２ｆに固着されておらず、折曲線１５Ｆｆまわりに回動することができるように構成されている。脇板上部１５Ｆｓの、折曲線１５Ｆｆに対向する辺が、脇板端辺１５ｓとなる。脇板端辺１５ｓには、差込片１５Ｆｔが連接されている。差込片１５Ｆｔは、典型的には脇板上部１５Ｆｓの幅の０．４〜０．６倍の幅に形成されている。差込片１５Ｆｔは、幅方向の中央が、抑え板３０Ｆの幅の中央と揃うように、脇板端辺１５ｓに連接されている。差込片１５Ｆｔは、本体係止部を構成する。差込片１５Ｆｔの高さは、抑え板係止部に係合されたときに容易に外れることがない高さに形成されている。
【００５９】
抑え板３０Ｆは、抑え天板３１と、抑え側板３３Ｆとを有している。抑え天板３１は、ラップカートン１（図１参照）の抑え天板３１と同様に構成されている。抑え側板３３Ｆは、抑え板３０Ｆを折り目３２で折り曲げて第１フラップ１４ｆ及び第２フラップ１２ｆに沿って延ばしたときに、折曲線１５Ｆｆの近傍まで延びている。抑え側板３３Ｆの幅は、抑え天板３１の幅と同じに形成されている。抑え側板３３Ｆには、差込片１５Ｆｔと係合する抑え側板貫通孔３３ｈが形成されている。抑え側板貫通孔３３ｈは、抑え板係止部を構成する。
【００６０】
上述のように構成されたラップカートン２Ａは、差込片１５Ｆｔと抑え側板貫通孔３３ｈとが係合する位置が、開口１０ｈの面上ではなく脇板１５Ｆ側である点で、ラップカートン２（図６参照）と異なるが、ラップカートン２（図６参照）と同様に、蓋部２０を閉めた状態で本体部１０Ｆの中に埃等の異物が侵入することを回避することができると共に、本体部１０Ｆの強度の低下を抑制することができるという効果を奏する。なお、ラップカートン２及びラップカートン２Ａ共に、本体係止部が、脇板１５Ｅ、１５Ｆの先端に形成されている例を説明したが、ラップカートン１の抑え側板３３（図１参照）に倣って、舌片で形成されていてもよい。
【００６１】
次に図８を参照して、これまで説明したラップカートン１〜２Ａに共通に適用可能な抑え板の改良について説明する。図８（Ａ）に示すように、改良版に係る抑え板１３０は、抑え天板１３１に切り込み１３１ｃが形成されている。切り込み１３１ｃは、前板端辺１９上の１点を始点とし、抑え天板１３１上を後板１４側に近づきつつ端辺には到達せずに、長手方向に延びた後、始点とは別の前板端辺１９上の１点に至るように形成されている。抑え天板１３１は、切り込み１３１ｃによって、切り込み１３１ｃの外側の係止有部としての抑え主部１３１ａと、切り込み１３１ｃより内側の係止無部としてのフラップ１３１ｂとに分割されている。フラップ１３１ｂは、典型的には矩形（長方形又は正方形）あるいは台形に形成されており、角部が丸みを帯びていてもよい。
【００６２】
フラップ１３１ｂの幅１３１ｂＷは、抑え主部１３１ａの幅１３１ａＷよりも小さく、本実施の形態では両者の比が概ね１：２乃至３：４となるように形成されている。フラップ１３１ｂの長さ（抑え板１３０の長手方向の距離）は、抑え主部１３１ａの長さに対して、本実施の形態では１／３であるが、１０％から７０％とするとよい。このようにすると、抑え主部１３１ａの強度を保ちつつ、フラップ１３１ｂを内側に折り曲げたときに、フラップ１３１ｂによる、ラップロール９１ｒのガタツキを抑制する作用を維持することができる。切り込み１３１ｃで切断され、本体部１０に係合されないフラップ１３１ｂは、前板端辺１９を回転軸線として回動することができるように構成されている。
【００６３】
図８（Ｂ）は、フラップ１３１ｂを前板１２の内側に沿うように折り曲げた状態を示す側面断面図である。フラップ１３１ｂは、前板端辺１９において前板１２の内側に向けて１８０度近く（例えば、１７０度）折り曲げられ、前板１２の内側に沿って配置されている。折り曲げられたフラップ１３１ｂは、元に戻ろうとするため、本体部１０内に収納されたラップロール９１ｒの外周部に接して、ラップロール９１ｒを後板１４の内側に押し付けることとなる。これにより、本体部１０内におけるラップロール９１ｒの動きを規制することができ、ラップロール９１ｒの本体部１０内でのガタツキを抑えることができて、ラップフィルム９１ｆを本体部１０から安定して引き出すことができる。
【００６４】
図８（Ｃ）は、フラップ１３１ｂを前板１２の外側に沿うように折り曲げた状態を示す側面断面図である。フラップ１３１ｂは、前板端辺１９において前板１２の外側に向けて折り曲げられ、前板１２の外側に沿って配置されている。折り曲げられたフラップ１３１ｂは、元に戻ろうとするため、前板１２の外面からやや浮き上がることとなる。換言すれば、フラップ１３１ｂは、前板１２に対して鋭角θを持って傾いて配置されている。この構成により、ラップロール９１ｒから引き出されて前板１２に沿って延びているラップフィルム９１ｆの先端を、前板１２から離間させることができる。このためラップフィルム９１ｆの先端を容易に摘むことができ、必要な長さのラップフィルム９１ｆをスムーズに本体部１０から引き出し、使用することができる。
【００６５】
なお、図９（Ａ）に示すようにフラップ１３１ｂはフラップ１３１ｂＡ、１３１ｂＢの２つに分割されていてもよく、図示は省略するが３つ以上に分割されていていてもよい。また、フラップ１３１ｂは、回動軸線を、前板端辺１９上にあるように形成する場合に限らず、底板１３側に寄った前板１２内に形成してもよい。このとき、フラップ１３１ｂは、前板１２の上部を一部含むこととなる。あるいは、フラップ１３１ｂを内側に折り曲げる場合は、図９（Ｂ）に示すように、フラップ１３１ｂの回動軸線を、後板１４側にずらし、抑え板１３０内に形成してもよい。この場合、フラップ１３１ｂがラップロール９１ｒを後板１４の方へ押し、ラップロール９１ｒのガタツキを抑えるという効果を奏する範囲内において、フラップ１３１ｂの回転軸線を後板１４側へずらすとよい。
【００６６】
また、図１０（Ａ）〜（Ｃ）に示すように、抑え板１３０の先端（後板端辺１８に対向する部分）を、本体部１０に収容されたラップロール９１ｒの外周に近づくように曲げて、ラップロール９１ｒの本体部１０からの飛び出し防止の効果を向上させてもよい。図１０（Ａ）に示す例では、抑え板１３０の先端を、後板１４と平行になるように折り曲げている。図１０（Ｂ）に示す例では、抑え板１３０の先端を、平面の状態で、本体部１０に収容されたラップロール９１ｒの外周に沿うように折り曲げている。図１０（Ｃ）に示す例では、抑え板１３０の先端を、本体部１０に収容されたラップロール９１ｒの外周に沿うよう、曲面状に曲げている。
【００６７】
以上の説明では、ラップフィルム９１ｆがポリ塩化ビニリデンを原料として形成されているとしたが、ポリ塩化ビニル、ポリエチレン、ポリメチルペンテン、もしくはこれらを組み合わせた多層フィルムであってもよい。また、長尺物がラップフィルム９１ｆであるとしたが、ロール紙、キッチンペーパ、アルミホイル、加熱調理用紙シート、クッキングシート（水蒸気は透過させるが液体の水は通さない、シリコン等がコーティングされた紙製品）等であってもよい。
【００６８】
以上の説明では、抑え側板に突出片３３ｐが形成されているとしたが、突出片３３ｐは形成されていなくてもよい。しかしながら、突出片３３ｐが形成されていて側蓋片の内側に突出片３３ｐと係合する凹部２５ｄが形成されていると、不必要に蓋部２０が開いてしまう状態を回避することができるため好適である。
【００６９】
以上の説明では、抑え板に切り欠き３１ｄが形成されているとしたが、抑え板の切り欠き３１ｄはなくてもよい。
【００７０】
本発明の説明に関連して（特に以下の請求項に関連して）用いられる名詞及び同様な指示語の使用は、本明細書中で特に指摘したり、明らかに文脈と矛盾したりしない限り、単数及び複数の両方に及ぶものと解釈される。語句「備える」、「有する」、「含む」及び「包含する」は、特に断りのない限り、オープンエンドターム（すなわち「〜を含むが限らない」という意味）として解釈される。本明細書中の数値範囲の具陳は、本明細書中で特に指摘しない限り、単にその範囲内に該当する各値を個々に言及するための略記法としての役割を果たすことだけを意図しており、各値は、本明細書中で個々に列挙されたかのように、明細書に組み込まれる。本明細書中で説明されるすべての方法は、本明細書中で特に指摘したり、明らかに文脈と矛盾したりしない限り、あらゆる適切な順番で行うことができる。本明細書中で使用するあらゆる例又は例示的な言い回し（例えば「など」）は、特に主張しない限り、単に本発明をよりよく説明することだけを意図し、本発明の範囲に対する制限を設けるものではない。明細書中のいかなる言い回しも、請求項に記載されていない要素を、本発明の実施に不可欠であるものとして示すものとは解釈されないものとする。
【００７１】
本明細書中では、本発明を実施するため本発明者が知っている最良の形態を含め、本発明の好ましい実施の形態について説明している。当業者にとっては、上記説明を読めば、これらの好ましい実施の形態の変形が明らかとなろう。本発明者は、熟練者が適宜このような変形を適用することを期待しており、本明細書中で具体的に説明される以外の方法で本発明が実施されることを予定している。したがって本発明は、準拠法で許されているように、本明細書に添付された請求項に記載の内容の修正及び均等物をすべて含む。さらに、本明細書中で特に指摘したり、明らかに文脈と矛盾したりしない限り、すべての変形における上記要素のいずれの組合せも本発明に包含される。
【符号の説明】
【００７２】
１、１Ａ、１Ｂ、１Ｃ、１Ｄ、２、２Ａ  ラップカートン
１０、１０Ａ、１０Ｃ、１０Ｅ、１０Ｆ  本体部
１０ｈ  開口
１２  前板
１３  底板
１４  後板
１５  脇板
１５ｓ  脇板端辺
１５ｈ  貫通孔
１５Ｅｔ  突起
１５Ｅｐ  差し込み片
１８  後板端辺
１９  前板端辺
２０  蓋部
２５  蓋側板
２５ｄ  凹部
３０、３０Ａ、３０Ｂ、３０Ｃ、３０Ｄ、３０Ｅ、３０Ｆ  抑え板
３１ｈ  溝
３２  折り目
３３、３３Ａ、３３Ｂ、３３Ｆ  抑え側板
３３Ａｔ  先端部
３３Ｂｔ  抑え板係止部
３３ｐ  突出片
３６  舌片
９１ｆ  ラップフィルム
９１ｒ  ラップロール
１００  巻回体入り収容箱
１３０  抑え板
１３１ａ  係止有部
１３１ｂ  係止無部
１３１ｃ  切込線
【図１】
2012137383.tif 000003
【図２】
2012137383.tif 000004
【図３】
2012137383.tif 000005
【図４】
2012137383.tif 000006
【図５】
2012137383.tif 000007
【図６】
2012137383.tif 000008
【図７】
2012137383.tif 000009
【図８】
2012137383.tif 000010
【図９】
2012137383.tif 000011
【図１０】
2012137383.tif 000012
【国際調査報告】
2012137383.tif 000013
2012137383.tif 000014
2012137383.tif 000015
2012137383.tif 000016